(57)【特許請求の範囲】
【請求項１】
生体のバイタル信号を計測する計測手段と、所定の音楽を構成する音符情報を記憶する記憶手段と、前記音符情報に基づいて所定の音楽を再生する音楽再生手段と、前記計測手段により計測された前記バイタル信号のリズム周期から次のリズム周期を予測する予測手段と、該予測手段により予測されたリズム周期をもとに前記音楽再生手段が再生する音楽のリズム周期を制御する時刻制御手段と、を備えていることを特徴とする生体信号監視装置。
【請求項２】
請求項１において、
前記音楽再生手段で前記音符情報を再生する強度を、前記音符情報の演奏時刻に対応する前記バイタル信号の振幅に基づいて制御する演奏強度制御手段を備えていることを特徴とする生体信号監視装置。
【請求項３】
請求項２において、
前記時刻制御手段が、前記心拍信号に基づいて前記音楽の演奏タイミングを制御し、前記演奏強度制御手段が前記呼吸信号に基づいて、前記音楽の演奏強度を制御することを特徴とする生体信号監視装置。
【請求項４】
請求項１において、
前記計測手段が、心音信号を計測し、該心音信号を心拍信号と呼吸信号の２つのバイタル信号に分離する機能を有していることを特徴とする生体信号監視装置。
【請求項５】
請求項１において、
前記計測手段と、それ以外の全ての手段とが地理的に隔離されていると共に、前記予測手段との間に、バイタル信号を伝送する伝送手段が設けられていることを特徴とする生体信号監視装置。
【請求項６】
請求項１において、
前記予測手段が、直前のリズム周期を次のリズム周期の予測値としていることを特徴とする生体信号監視装置。
【請求項７】
請求項１において、
前記時刻制御手段が、前記予測手段により予測されたバイタル信号の予測周期の値に、次に演奏する音楽のリズム周期を一致させるように制御することを特徴とする生体信号監視装置。
【請求項８】
請求項７において、
前記次に演奏する音楽のリズムを構成するいずれか１つの音符の演奏タイミングを、前記バイタル信号のタイミングと一致させるように制御することを特徴とする生体信号監視装置。
【請求項９】
請求項１において、
前記時刻制御手段が、前記予測手段により予測されたバイタル信号の予測周期の値に対して所定の割合で増減した値に、次に演奏する音楽のリズム周期を一致させるように制御することを特徴とする生体信号監視装置。
【請求項１０】
請求項１において、
前記音符情報がＭＩＤＩデータで構成され、且つ前記音楽再生手段がＭＩＤＩシーケンサ及びＭＩＤＩ音源を備えていることを特徴とする生体信号監視装置。
【発明の詳細な説明】
【０００１】
【発明の属する技術分野】
本発明は、生体信号監視装置、特に医療現場で、主としてＩＣＵ（集中治療室）、ＮＩＣＵ（新生児集中治療室）、ＣＣＵ（循環器疾患治療室）、手術室、救急処置室、救急車、ドクターカー等はもとより、在宅医療においても、心拍等の生体のバイタル情報を常時監視する際に適用して好適な、生体信号監視装置に関する。
【０００２】
【従来の技術】
一般に、医療現場で生体のバイタル情報の１つである心臓機能を常時監視するために使用される心電モニタには、心拍リズムと同期したパルス音を鳴らす再生機能が備わっており、医療従事者はこの音を聞くことにより患者に対する処置作業に集中できるようになっていると共に、離れた病棟からの遠隔監視も可能になっている。
【０００３】
又、今後は医療経費削減等のため、高齢者や慢性疾患の患者等は在宅医療が中心となり、家庭にベッドサイドモニタ（心電モニタ）等が入り込む機会が増大し、担当医師が遠隔地から各在宅患者の容態を監視するニーズが増大とすると考えられる。
【０００４】
【発明が解決しようとする課題】
しかしながら、現状の心電モニタによる再生音はバイタルをモニタすることだけを目的として設計されているため、無味乾燥な機械音が連続して鳴り、人には不快感、恐怖感、焦燥感を与え、又時には聞き慣れた医療従事者には睡魔を催させ、監視業務を阻害するという問題があった。
【０００５】
本発明は、前記従来の問題点を解決するべくなされたもので、生体のバイタル情報を音として再生し、その音を通して生体を常時監視する際、医療従事者が遠隔地等においても快適な状態で監視業務等を続けることができる生体信号監視装置を提供することを課題とする。
【０００６】
【課題を解決するための手段】
本発明は、生体信号監視装置において、生体のバイタル信号を計測する計測手段と、所定の音楽を構成する音符情報を記憶する記憶手段と、前記音符情報に基づいて所定の音楽を再生する音楽再生手段と、前記計測手段により計測された前記バイタル信号のリズム周期から次のリズム周期を予測する予測手段と、該予測手段により予測されたリズム周期をもとに前記音楽再生手段が再生する音楽のリズム周期を制御する時刻制御手段と、を備えた構成とすることにより、前記課題を解決したものである。
【０００７】
即ち、本発明においては、音楽再生手段により再生される音楽のリズム周期を、計測手段により実測された心拍等のバイタル信号のリズム周期から予測して制御するようにしたので、バイタル信号を種々の音楽を通して監視することが可能となり、従って、従来の無味乾燥な連続した機械音のように、不快感等を与えたり、睡魔を催させたりして、監視業務を阻害することを有効に防止することができる。
【０００８】
【発明の実施の形態】
以下、図面を参照して、本発明の実施の形態について詳細に説明する。
【０００９】
図１は、本発明に係る第１実施形態の生体信号監視装置を、その開発に使用したＥＣＧ／呼吸波シミュレータの概略構成と共に示すブロック図である。
【００１０】
本実施形態の生体信号監視装置１０は、生体のバイタル信号である心拍を、心電計から入力される信号から検出する心拍検出部（計測手段）１２と、所定の音楽を構成する音符情報を記憶するＢＧＭデータＭＩＤＩファイル（記憶手段）１４と、前記音符情報に基づいて所定の音楽を再生する音楽再生手段であるＭＩＤＩシーケンサ１６及びＭＩＤＩ音源１８とを備えて、これらＭＩＤＩファイル１４、ＭＩＤＩシーケンサ１６及びＭＩＤＩ音源１８は、ＢＧＭ変調器を構成している。ここで、ＢＧＭはＢack Ｇround Ｍusic、ＭＩＤＩはＭusical  Ｉnstrument Ｄigital  Ｉnterfaceである。
【００１１】
本実施形態では、上記生体信号監視装置１０を開発するにあたり、後述する課題を解決するために、ＥＣＧ（心電モニタ）／呼吸波シミュレータを使用した。このＥＣＧシミュレータは、基本クロック発生部２０と、該発生部２０から発生されるクロック信号に揺らぎを与えるための揺らぎ発生部２２と、該発生部２２から出力される信号から、心電図波形と呼吸波を発生させるＥＣＧ／呼吸波パターン発生部２４とを備え、且つこれら各発生部２０、２２及び２４に対しては、テンポ設定部２６、揺らぎパラメータ設定部２８及びＥＣＧ／呼吸波形状パラメータ設定部３０により、それぞれパラメータが設定されるようになっている。
【００１２】
上記ＥＣＧ／呼吸波パターン発生部２４から出力される信号は、グラフ表示制御部３２を介してディスプレイに出力され、後に詳述するインターネットのブラウザの画面である図２の表示画面に示すような心電図と呼吸波の信号波形として出力されるようになっている。又、前記揺らぎ発生部２２からは、上記図２に示したパルスに相当する心拍のシミュレーション信号がＢＧＭ変調器の前記ＭＩＤＩシーケンサ１６に入力されるようになっている。
【００１３】
又、脈搏センサからは外部同期インターフェース３４を介して前記基本クロック発生部２０に生体から脈搏信号が入力され、生体信号に基づいて基本クロック発生部２０で発生するクロック信号のテンポを設定することもできるようになっている。
【００１４】
本実施形態においては、前記心拍検出部１２で検出される心拍信号をモニタ音としてスピーカから流すにあたり、該モニタ音をより快適な音楽として提供するために、通常一致しない音楽の拍数（音符の数）と心拍のタイミングをどのようにとるか、という課題を解決する必要がある。
【００１５】
ここでは、上記課題を解決するために、前記ＥＣＧ／呼吸波シミュレータから前記ＢＧＭ変調器に種々のパルス信号を出力しながら検討した結果、楽曲各小節の頭の音符、又は小節内１拍の頭の音符は心拍に同期させ、その他の副音符の演奏タイミングは、例えば直前のリズム周期を基に予測した予測周期を各音符の長さに基づいて割り振ることにより解決できることを知見した。そして、このようにすることにより、拍子が一定であればあらゆる音楽を利用することが可能となった。
【００１６】
そこで、本実施形態の生体信号監視装置１０では、音符情報をＭＩＤＩデータで構成して、前記ＢＧＭデータＭＩＤＩファイル１４に記憶しておくと共に、その情報に基づいてＭＩＤＩシーケンサ１６及びＭＩＤＩ音源１８からなる音楽再生手段で音楽を再生する際、該ＭＩＤＩシーケンサ１６に前記心拍検出部１２から心電誘導等による心拍信号を入力し、該心拍信号の周期や振幅に同期して再生する音楽を制御するようにした。
【００１７】
そして、再生する音楽を制御するために、前記ＭＩＤＩシーケンサ１６には、前記心拍検出部１２により計測された心拍信号（バイタル信号）のリズム周期から次のリズム周期を予測する予測手段と、該予測手段により予測されたリズム周期をもとに前記ＭＩＤＩ音源１８（音楽再生手段）が再生する音楽のリズム周期を制御する時刻制御手段（いずれも図示せず）とが内蔵されていると共に、前記ＭＩＤＩ音源１８で音符情報を再生する強度を、該音符情報の演奏時刻に対応する前記バイタル信号の振幅に基づいて制御する演奏強度制御手段も内蔵されている。
【００１８】
又、本実施形態では、ＭＩＤＩシーケンサ１６内の前記リズム周期の予測手段が、直前のリズム周期を次のリズム周期の予測値（リズム周期）とするようになっている。又、前記時刻制御手段が、上記予測手段により与えられた予測値に、次に演奏する音楽のリズム周期を一致させるように制御するようになっており、その際に、次に演奏する音楽のリズムを構成するどれか１つの音符の演奏タイミングを、前記バイタル信号のタイミングと一致させるように制御するようになっている。又、前記時刻制御手段は、前記リズム周期の予測手段により与えられた予測値に対して所定の割合で増減した値に、次に演奏する音楽のリズム周期を一致させるように制御する機能も有している。
【００１９】
ここでは、音楽のリズムを構成する先頭の音符の演奏タイミングと心拍信号のタイミングとを一致させ、その後に続く副音符は、直前の心拍信号のリズム周期を等分割したタイミングで演奏する場合を具体例として、以下に説明する。
【００２０】
図３は、ＭＩＤＩ符号で記述されたＢＧＭ音楽に対して、生体信号で演奏を制御するコンセプトの一例を原理的に示したものである。この例では、図３（Ａ）のソースＢＧＭデータ（ＭＩＤＩ）としての音楽が、先頭の２の音符に対してのみＩとIIの符号を付して示したように、２拍ずつの音符の連続（リズム）で構成されているが、この音楽のリズムに対して心電波形のＲ波（心拍位相）に各音符の第Ｉ拍を同期させ、第II拍以降の副音符は心拍周期の予測値（直前の周期）を等分したタイミングに配置する。
【００２１】
即ち、ここでは第II拍までだから、同図（Ｂ）に示したＢＧＭ変調器に入力される心電波形として示したパルスＰ1 に、音楽のリズムの第Ｉ拍の音符を同期させ、第II拍の音符は図示しない前回のパルスＰ0 からＰ1 までの時間である直前の周期Ｔを等分したＴ／２の時間がパルスＰ1 から経過した後に演奏するように制御する。同様の制御を他の全ての音符に対して、パルスＰ2 以降の信号に基づいて行うことにより、常に直前の心拍周期が反映された音楽を演奏することが可能となる。
【００２２】
そして、その音楽を再生するに際しては、前記ＭＩＤＩシーケンサ１６が有する前記制御機能により、再生する音楽のリズム周期を直前の心拍信号（バイタル信号）のリズム周期を基に制御すると共に、音楽情報を再生する際の演奏強度を前記バイタル信号の振幅に同期させる制御ができるようになっている。
【００２３】
しかしながら、後者の演奏強度を前記バイタル信号即ち心拍信号の振幅に同期させる制御は、現実の心拍信号がパルス状で振幅が顕著に変化しないことから、必ずしも十分な効果が期待できないこともあり得る。最近、呼吸曲線信号（肺に貯えられた空気容量の変動を記録したもの）が心電誘導と同様な方法で同時に計測することが可能になっているため、前記演奏強度の制御は心拍信号（第１信号成分）ではなく、同時計測されるバイタル信号である呼吸信号（第２信号成分）の振幅を用いた方が更なる効果が期待できる。即ち、呼吸信号は心拍信号の約５倍の周期で滑らかに変化し、音楽用語でフレーズと呼ばれ、一息で歌われる音符のグループに類似するため、演奏されるＢＧＭに対して、より音楽的にも自然な抑揚が加わる。
【００２４】
前記図３（Ｂ）の下段に示した呼吸波形が、呼吸信号を心電波形の時間経過に対応させて示したものである。図３（Ａ）のＢＧＭデータの演奏タイミングを、前述した如く同図（Ｂ）の心電波形の心拍信号に基づいて制御すると共に、この呼吸信号により音楽の再生する強度を合わせて制御すると、同図（Ｃ）に変調されたＢＧＭデータとして示した、抑揚がはっきりした音楽として演奏（再生）することが可能となる。
【００２５】
次に、図４を用いて前記ＢＧＭ変調器によるシーケンサ動作を、更に具体的に説明する。
【００２６】
図４（Ａ）は、前記ＢＧＭデータＭＩＤＩファイル１４に記憶されている、メロディ／コード、いずれも単音からなる分散コード１、分散コード２、経過音により構成されたＢＧＭデータを概念的に示したものであり、この表を区切る縦の線が小節線に対応している。このＢＧＭデータを構成する各コードを表わす記号は、同図（Ｃ）に示した音源ファイルとして模式的に示した意味を持っている。なお、この音源ファイルは、ピアノ等の生楽器音の単音又は和音のＰＣＭ（Puls Code Modulation）録音データで作成されている。
【００２７】
このＢＧＭデータは、各小節を２つの心拍に対応させて演奏するようになっており、基本的には各心拍がメロディ／コード、分散コード１、分散コード２の３つの音符で演奏されるようになっている。例えば、図中の第１小節の場合であれば、第１心拍でＨ１、Ｄ３、Ｇ３の各コードを、第２心拍でＨ２、Ｅ３、Ｇ３の各コードが演奏されるが、その際にＨ１、Ｈ２は各心拍に丁度同期して、他の２つの副音符はそれぞれ１／３周期（Ｔ）ずつ遅らせて演奏される。但し、第２小節と第４小節には３／４周期のタイミングで経過音Ｅ４が演奏されるようになっている。
【００２８】
従って、上記図４（Ａ）のＢＧＭデータに基づいて、前記ＭＩＤＩシーケンサ１６及びＭＩＤＩ音源１８により音楽を再生すると、同図（Ｂ）に演奏シーケンサ動作を示したように、第１小節の場合は心拍検出部１２からシーケンサ１６に入力される第１心拍にあたるクロック信号のパルス１に同期して、メロディ／コードＨ１が、これより直前で実測された周期Ｔを基準に１／３周期遅れて分散コードのＤ３が、２／３周期遅れて分散コード２のＧ３が出力される。次の第２心拍にあたるパルス２に同期してＨ２が、同様にＥ３、Ｇ３が順次出力され、第１小節の演奏が終わる。
【００２９】
次いで、第２小節がパルス３、４により、第３小節がパルス５、６により同様に対応する各音が出力されることにより、スピーカからはそれが音楽として流れることになる。
【００３０】
この例では、パルス４まではほぼ等しい周期であるが、パルス５の時点で心拍に異常が発生して周期が長くなっている。ところが、直前の実測周期を利用して制御をしているため、パルス４を起点に演奏される副音符Ｄ３、Ａ３はそれまでの短い周期で制御され、次のパルス５を起点とする副音符Ｄ３、Ｇ３が長い周期で制御されることになる。その結果、パルス４から５にかけて音楽のメロディに大きな変化が現われることになるため、このようなメロディの変化により、医療従事者は患者に起きた心拍の乱れを知ることができる。
【００３１】
上述した如く、本実施形態によれば、環境音楽（ＢＧＭ）を再生する機能を心電モニタ装置に組み込み、再生される音楽の各音符又は音符群が演奏されるタイミング又はその強さを、計測された生体からの心拍のリズム信号により制御するようにしたので、医療従事者は、より人に快適なＢＧＭのリズム変動を聴取しながら、心臓機能の状態を監視することが可能となる。
【００３２】
又、本実施形態では、音楽のリズム周期を構成する１拍目の音符を心拍信号に同期させ、それに続く副音符は直前の心拍信号の周期を等分した間隔を割り当てて演奏するようにしたので、拍子が一定のあらゆる音楽を心拍に同期させて演奏することができる。
【００３３】
又、前記ＭＩＤＩシーケンサ１６に内蔵されている時刻制御手段が有する機能である予測周期を所定の割合で増減させ、その周期に音楽のリズム周期を一致させる制御を行う場合には、このリズム周期の第１拍も予測周期で演奏することができるようになる。このようにすることにより、ＢＧＭの演奏テンポを心拍周期に同期させるだけでなく、常に心拍周期より一定の割合で遅くしたり、速くしたりするといった速度制御が可能になる。従って、自分の心拍に同期したＢＧＭを聞くことができることにより、ＢＧＭを聞いている間に心拍が落ち着くと、ＢＧＭのテンポもそれに合わせて遅くなるというバイオフィードバック効果を得ることができる。
【００３４】
即ち、例えば、ＢＧＭの演奏速度を心拍の８０％に設定した場合、初め心拍数１００の人に対して毎分８０のテンポでＢＧＭが演奏され、その後、その人の心拍数が８０に低下すると、ＢＧＭのテンポも毎分６４に低下するというように、バイオフィードバックをかけることが可能となる。このようにＢＧＭで心拍をコントロールすることにより、睡眠効果があることが知られており、これにより睡眠治療等、音楽療法への応用も期待できる。又、逆にテンポを速く設定することにより、覚醒させることもできる。
【００３５】
次に本発明に係る第２実施形態の生体信号監視装置について説明する。
【００３６】
本実施形態の生体信号監視装置は、基本的な機能は前記第１実施形態と同一であるが、更に、（１）あちらこちらに点在している在宅療養患者を集中管理するにはどうしたらよいか、（２）心拍と呼吸の信号を同時にとるためには２種類のセンサを必要とするが、在宅等で患者の負担にならないように１つのセンサでとるにはどうしたらよいか、という課題を解決するために、以下の（１）、（２）の機能を追加したものである。
【００３７】
（１）在宅家庭のベッドサイドモニタから常時監視を必要とする情報のみを抽出して、電話回線で所定のＷＷＷ（World Wide Web）サーバ（インターネット・プロバイダ、病院のネットワークサーバ等）にリアルタイムで伝送できるようにする。こうすることにより、担当医は病院のパソコンや家庭のパソコンで担当患者の状態をＷＷＷブラウザで常時監視でき、席を外してもＢＧＭでモニタできるようになる。
【００３８】
（２）心音マイクを患者の胸に吸着固定し、該マイクから得られる心音情報から心拍と呼吸の情報を分離する方法を採る。心音は心臓から発せられる音が呼吸器を介して伝導するため、呼吸器の空気容量により音の周波数が変調される。即ち、心音からその第Ｉ音を検出し、そのタイミングが心拍で、音程の揺らぎ成分が呼吸振幅を表わしているため、この呼吸振幅を、本発明者が既に特開平１０−２４７０９９に「音声信号の符号化方法」として提案している技術を利用して検出する。
【００３９】
図５は、本実施形態の生体信号監視装置の要部を概念的に示したものである。本実施形態の監視装置は、前記図１に示した心電計に相当する心音ソースとして吸盤で患者の胸に直接固定できる心音マイク（聴診器）と、該心音マイクを介して入力される心音信号を計測し、該心音信号を心拍信号と呼吸信号に分離する機能を有する、前記心拍検出部１２に相当するＭＩＤＩ符号化ソフトとを備えている。このＭＩＤＩ符号化ソフトは、ＢＧＭ変調器等の他の全ての構成要素と地理的に隔離されていると共に、該ＢＧＭ変調器が内蔵されている図示したベッドサイドモニタとの間にはバイタル信号を伝送するためのイントラネット／インターネット（伝送手段）が配設されている。即ち、本実施形態の生体信号監視装置は、前記図１で説明すれば、心拍検出部１２とＢＧＭ変調器が地理的に隔離され、該検出部１２と前記ＭＩＤＩシーケンサ１６に内蔵されている前記リズム周期の予測手段とがインターネット等のネットワークで接続された構成になっている。
【００４０】
まず、生体信号からＢＧＭ制御信号を生成する方法について説明する。一般に、ＢＧＭを制御するに必要な時系列情報は心拍のパルス情報に呼吸成分の振幅がのったもので、ビットレートは数kbpsのオーダーである。従って、電話回線経由のインターネットでも伝送に耐えられ、ベッドサイド部と監視するブラウザ部を隔離できる。
【００４１】
これら心拍と呼吸の情報は、通常使われているベッドサイドモニタから技術的には容易に入手できるが、ここでは患者の胸に聴診マスクを取り付けて聴取した心音情報（生体信号）から、前記ＭＩＤＩ符号化ソフトにより心拍と呼吸の情報を分離抽出する。心音は心臓の音が呼吸器系を介して聴取されているため、肺の空気容量に応じて伝導する音の周波数が変調されているので、本発明者が提案している、前記ＭＩＤＩ符号化ソフトによる信号処理を応用することにより、心音信号から上記両信号を分離抽出することができる。その結果、心音のＩ音位相から心拍パルスを求め、Ｉ音の音程の揺らぎから呼吸の深さ情報（呼吸波形）を算出することができる。
【００４２】
このＭＩＤＩ符号化信号処理により心音情報から心拍と呼吸の情報を分離する方法を、図６を用いて説明する。通常、聴診マイクを通して得られる心音は、図６（Ａ）にイメージを示すように、１つの心拍がＩ音、II音の２つの音で構成されている。そして、この心音を前記ＭＩＤＩ符号化ソフトで処理すると、同図（Ｂ）にＭＩＤＩデータを示したように、緩やかな振幅で上下する音符情報に変換される。但し、特殊な心患者ではIII 、IV音が聴取される場合もある。
【００４３】
この音符情報の心音のＩ音の位相から、同図（Ｃ）の心拍パルスを求め、該Ｉ音の音程の揺らぎから、同図（Ｄ）にイメージを示したような呼吸情報を算出することができる。
【００４４】
本実施形態では、このように分離抽出した心拍と呼吸の情報を前記図５に示したように、インターネット等のネットワークを介してベッドサイドモニタが有するＢＧＭ変調器に伝送し、前記図２に示したと同様のブラウザ画面にこれら両情報を表示すると共に、該両情報により変調されたＢＧＭ音楽を演奏できるようになる。従って、地理的に隔離されている在宅患者に対しても、患者には聴診器１つ取り付けておくだけで、病院等の医療機関で常時監視することができるようになる。
【００４５】
本実施形態では、以上の遠隔監視をインターネットのＷＷＷ環境で行うために、ＷＷＷサーバ側（患者側）のＭＩＤＩ符号化ソフトを、ＷＷＷクライアント側のベッドサイドモニタが有する前記ＢＧＭ変調器（患者側にも置く場合はそれも含む）をＪａｖａアプレット（サン・マイクロシステムズ社が開発したプログラミング言語Ｊａｖａで作成したプログラム）で実現している。特に、前記図１に示したＢＧＭ変調器に相当するＢＧＭ再生機能は、ＭＩＤＩ音源１８を含む全てをＪａｖａアプレットで実現した。
【００４６】
このように、Ｊａｖａアプレットで実現したＭＩＤＩ符号化処理機能をＷＷＷサーバ側に、ＢＧＭ変調機能をＷＷＷサーバのクライアント側にそれぞれインプリメントすることにより、前記図５に示した１対１の対応を拡張することができ、図７にイメージを示すように、インターネット経由で複数の患者を遠隔監視するシステムを構築することができる。
【００４７】
この図７には、太い矢印で示したように、ベッドサイドモニタＡから患者の心音等のバイタル信号がＭＩＢ（Medical Infornation Bus ）を介してＷＷＷサーバＡに伝送されると、該サーバＡでは前記ＭＩＤＩ符号化処理により心音情報から心拍と呼吸の情報が取り出され、この両情報がＨＴＴＰ（プロトコル）を使ってインターネット等を介してＷＷＷクライアント２に伝送され、前記ブラウザの画面に表示されると共に、Ｊａｖａアプレットで実現されている前記ＢＧＭ変調機能により音楽が演奏される。
【００４８】
このように、複数のサーバにそれぞれ複数の患者（図７中ではベッドサイドモニタ）が接続され、且つ、各サーバがネットワークを介して複数のクライアント（医療従事者）と接続された遠隔監視システムが構築できることから、患者は希望するクライアントに情報を伝送することができると共に、クライアントも任意の患者を監視でき、複数のクライアントが同時に同一の患者の状態を監視することもできる。
【００４９】
以上、本発明について具体的に説明したが、本発明は、前記実施形態に示したものに限られるものでなく、その要旨を逸脱しない範囲で種々変更可能である。
【００５０】
例えば、バイタル情報としては、これまで述べた各種心電波形、心拍変動曲線、呼吸曲線に限らず、血圧変動、体温変動、動脈血酸素飽和度、脳波等、電気的に時系列計測できるものであれば任意である。
【００５１】
【発明の効果】
以上説明したとおり、本発明によれば、生体のバイタル情報を音として再生し、その音を通して生体の状態を常時監視する際、医療従事者が快適な状態で監視業務等を続けることができる。
【図面の簡単な説明】
【図１】本発明に係る第１実施形態の生体信号監視装置の概略構成を、ＥＣＧ／呼吸波シミュレータと共に示すブロック図
【図２】上記ＥＣＧ／呼吸波シミュレータから出力される心電波形と呼吸波形の一例を示す説明図
【図３】生体信号によるＢＧＭ変調の概念を示す説明図
【図４】生体信号監視装置を構成するＢＧＭ変調器のシーケンサ動作の一例を示す説明図
【図５】本発明に係る第２実施形態の生体信号監視装置の基本概念を示す説明図
【図６】心音情報から心拍と呼吸の２つの情報を分離する処理のイメージを示す説明図
【図７】第２実施形態の生体信号監視装置の変形例を示す説明図
【符号の説明】
１０…生体信号監視装置
１２…心拍検出部
１４…ＢＧＭデータＭＩＤＩファイル
１６…ＭＩＤＩシーケンサ
１８…ＭＩＤＩ音源
【図１】
0004248634.tif 000002
【図２】
0004248634.tif 000003
【図３】
0004248634.tif 000004
【図４】
0004248634.tif 000005
【図５】
0004248634.tif 000006
【図６】
0004248634.tif 000007
【図７】
0004248634.tif 000008